(57)【要約】【課題】映像を共有することができるようにする。【解決手段】映像表示システム５１は、映像信号出力装置６３から供給される映像を表示する映像表示装置６２と、ユーザーの操作に基づいて、映像表示装置６２に送信する遠隔制御信号を出力する、映像表示装置６２に付属する複数のポインティングデバイス６１とを備える。映像表示装置６２の通信部９１は、複数のポインティングデバイス６１の遠隔操作に対応する複数の遠隔制御信号を受信して識別する。映像表示装置６２の合成部９２は、通信部９１により受信され、識別された複数の遠隔制御信号のそれぞれに基づく複数のポインタ８１−１，８１−２の映像１１１と、映像信号出力装置６３から供給される映像１１２を合成して、第３の映像１１３を表示部６５に出力する。【選択図】図３
2010245796.tif 000002
【特許請求の範囲】
【請求項１】
複数の入力装置の遠隔操作に対応する複数の遠隔操作信号を受信する通信部と、
前記通信部により受信された複数の前記遠隔操作信号のそれぞれに基づく第１の映像と、他の装置から供給される第２の映像を合成して、第３の映像を出力する合成部と
を備える映像表示装置。
【請求項２】
前記合成部は、前記第１の映像を第１のレイヤに格納し、前記第２の映像を第２のレイヤに格納し、前記第１のレイヤの前記第１の映像と、前記第２のレイヤの前記第２の映像を合成する
請求項１に記載の映像表示装置。
【請求項３】
前記第２の映像は、複数の前記入力装置のうちのアクセス権限を保持する前記入力装置の前記遠隔操作信号により操作された映像である
請求項２に記載の映像表示装置。
【請求項４】
前記通信部は、複数の前記入力装置のうちの前記アクセス権限を保持する前記入力装置の前記遠隔操作信号を、前記他の装置に送信する
請求項３に記載の映像表示装置。
【請求項５】
前記第２の映像は、前記他の装置が前記アクセス権限を保持する前記入力装置から直接受信した前記遠隔操作信号により操作された映像である
請求項３に記載の映像表示装置。
【請求項６】
前記他の装置が出力する前記第２の映像は、前記アクセス権限を保持する発表者が会議に参加する複数の参加者に紹介する紹介映像であり、
前記合成部が出力する前記第３の映像は、前記紹介映像に、前記発表者が操作する前記入力装置のポインタの映像と前記参加者が操作する前記入力装置のポインタの映像を合成した映像である
請求項４に記載の映像表示装置。
【請求項７】
前記通信部は、３次元の自由空間で操作される前記入力装置からの無線の前記遠隔操作信号を受信する
請求項６に記載の映像表示装置。
【請求項８】
前記入力装置は、前記映像表示装置に付属する入力装置である
請求項７に記載の映像表示装置。
【請求項９】
前記入力装置は、それを操作するユーザーの入力装置である
請求項７に記載の映像表示装置。
【請求項１０】
通信部と、
合成部と
を備え、
前記通信部は、複数の入力装置の遠隔操作に対応する複数の遠隔操作信号を受信して識別し、
前記合成部は、前記通信部により受信され、識別された複数の前記遠隔操作信号のそれぞれに基づく第１の映像と、他の装置から供給される第２の映像を合成して、第３の映像を出力する
映像表示方法。
【請求項１１】
コンピュータを、
複数の入力装置の遠隔操作に対応する複数の遠隔操作信号を受信して識別する通信手段と、
前記通信手段により受信され、識別された複数の前記遠隔操作信号のそれぞれに基づく第１の映像と、他の装置から供給される第２の映像を合成して、第３の映像を出力する合成手段と
して機能させるためのプログラム。
【請求項１２】
映像信号出力装置から第1の映像が供給される映像表示装置と、
ユーザーの操作に基づいて、前記映像表示装置に送信する遠隔制御信号を出力する、前記映像表示装置に付属する複数の入力装置と
を備え、
前記映像表示装置は、
複数の前記入力装置の遠隔操作に対応する複数の前記遠隔制御信号を受信して識別する通信部と、
前記通信部により受信され、識別された複数の前記遠隔制御信号のそれぞれに基づく第２の映像と、前記映像信号出力装置から供給される前記第１の映像を合成して、第３の映像を出力する合成部と
を備える
映像表示システム。
【請求項１３】
映像信号出力装置から第1の映像が供給される映像表示装置と、
ユーザーの操作に基づいて、前記映像表示装置に送信する遠隔制御信号を出力する、前記映像表示装置に付属する複数の入力装置と
を備え、
前記映像表示装置は、通信部と合成部を備え、
前記通信部が、複数の前記入力装置の遠隔操作に対応する複数の前記遠隔制御信号を受信して識別し、
前記合成部が、前記通信部により受信され、識別された複数の前記遠隔制御信号のそれぞれに基づく第２の映像と、前記映像信号出力装置から供給される前記第１の映像を合成して、第３の映像を出力する
映像表示方法。
【請求項１４】
第１の映像を表示する第１の映像表示装置と、
前記第１の映像表示装置と接続され、第２の映像を表示する第２の映像表示装置と、
前記第１の映像表示装置に第１の遠隔制御信号を無線で送信する第１の入力装置と、
前記第２の映像表示装置に第２の遠隔制御信号を無線で送信する第２の入力装置と、
前記第１の映像表示装置に接続され、前記第１の映像表示装置に第３の映像を出力する映像出力装置と
を備え、
前記第１の映像表示装置は前記第２の映像表示装置から、前記第２の遠隔制御信号を受信するとともに、前記第２の映像表示装置は前記第１の映像表示装置から、前記第１の遠隔制御信号を受信し、
前記第１の映像表示装置は、第１の作業レイヤに格納された、前記第１の遠隔制御信号および前記第２の遠隔制御信号に基づく第４の映像と、第１の映像レイヤに格納された、前記映像出力装置から供給された前記第３の映像とを合成して前記第１の映像とし、
前記第２の映像表示装置は、第２の作業レイヤに格納された、前記第２の遠隔制御信号および前記第１の遠隔制御信号に基づく第５の映像と、第２の映像レイヤに格納された、前記第１の映像表示装置から供給された前記第３の映像とを合成して前記第２の映像とする
映像表示システム。
【請求項１５】
前記第１の映像表示装置、前記第１の入力装置、および映像出力装置は第１の部屋に配置され、
前記第２の映像表示装置および前記第２の入力装置は第２の部屋に配置される
請求項１４に記載の映像表示システム。
【請求項１６】
第１の映像を表示する第１の映像表示装置と、
前記第１の映像表示装置と接続され、第２の映像を表示する第２の映像表示装置と、
前記第１の映像表示装置に第１の遠隔制御信号を無線で送信する第１の入力装置と、
前記第２の映像表示装置に第２の遠隔制御信号を無線で送信する第２の入力装置と、
前記第１の映像表示装置に接続され、前記第１の映像表示装置に第３の映像を出力する映像出力装置と
を備え、
前記第１の映像表示装置は前記第２の映像表示装置から、前記第２の遠隔制御信号を受信するとともに、前記第２の映像表示装置は前記第１の映像表示装置から、前記第１の遠隔制御信号を受信し、
前記第１の映像表示装置は、第１の作業レイヤに格納された、前記第１の遠隔制御信号および前記第２の遠隔制御信号に基づく第４の映像と、第１の映像レイヤに格納された、前記映像出力装置から供給された前記第３の映像とを合成して前記第１の映像とし、
前記第２の映像表示装置は、第２の作業レイヤに格納された、前記第２の遠隔制御信号および前記第１の遠隔制御信号に基づく前記第５の映像と、第２の映像レイヤに格納された、前記第１の映像表示装置から供給された前記第３の映像とを合成して前記第２の映像とする
映像表示方法。
【請求項１７】
第１の映像を表示する第１の映像表示装置と、
前記第１の映像表示装置に第１の遠隔制御信号を無線で送信する第１の入力装置と、
第２の映像を表示する第２の映像表示装置と、
前記第２の映像表示装置に第２の遠隔制御信号を無線で送信する第２の入力装置と、
前記第１の映像表示装置および前記第２の映像表示装置と接続される映像合成装置とを備え、
前記映像合成装置は、第１のレイヤに格納された、前記第１の遠隔制御信号および前記第２の遠隔制御信号に基づく第３の映像と、前記第１の映像表示装置から出力され、第２のレイヤに格納された第４の映像とを合成して、前記第１の映像として前記第１の映像表示装置に出力するとともに、前記第２の映像として前記第２の映像表示装置に出力する
映像表示システム。
【請求項１８】
第１の映像を表示する第１の映像表示装置と、
前記第１の映像表示装置に第１の遠隔制御信号を無線で送信する第１の入力装置と、
第２の映像を表示する第２の映像表示装置と、
前記第２の映像表示装置に第２の遠隔制御信号を無線で送信する第２の入力装置と、
前記第１の映像表示装置および前記第２の映像表示装置と接続される映像合成装置とを備え、
前記映像合成装置は、第１のレイヤに格納された、前記第１の遠隔制御信号および前記第２の遠隔制御信号に基づく第３の映像と、前記第１の映像表示装置から出力され、第２のレイヤに格納された第４の映像とを合成して、前記第１の映像として前記第１の映像表示装置に出力するとともに、前記第２の映像として前記第２の映像表示装置に出力する
映像表示方法。
【発明の詳細な説明】
【技術分野】
【０００１】
本発明は、映像表示装置および方法、映像表示システム、並びにプログラムに関し、特に、映像を共有することができる映像表示装置および方法、映像表示システム、並びにプログラムに関する。
【背景技術】
【０００２】
図１は従来の会議システムの構成を表す図である。この会議システム１は、パーソナルコンピュータ１１とそれを遠隔操作するマウス１２を有している。パーソナルコンピュータ１１はそのディスプレイ１１Ａに表示されている映像の映像信号をプロジェクタ１３に供給し、プロジェクタ１３はその映像をスクリーン１４に投影する。会議に参加している複数の参加者は、スクリーン１４に表示された映像を同時に視認する。
【０００３】
発表者がマウス１２を操作すると、対応するポインタ１５がパーソナルコンピュータ１１のディスプレイに表示される。その結果、スクリーン１４にもポインタ１５が表示される。発表者は、マウス１２を操作して、ポインタ１５で所定のアイコン、位置などを指定することができる。
【０００４】
しかし、このような会議システムでは、ポインタ１５を使用できるのは、発表者のみであり、複数の参加者がスクリーン１４の所定のアイコン、位置などを指定することはできない。
【０００５】
これに対して特許文献１には、マウスの代わりにレーザポインタを用い、レーザポインタでスクリーンの所定の位置を指定することが提案されている。複数のレーザポインタを用いることで、複数の参加者がスクリーン１４の所定のアイコン、位置を指定することが可能となる。
【先行技術文献】
【特許文献】
【０００６】
【特許文献１】特開２００８−３３３８９号公報
【発明の概要】
【発明が解決しようとする課題】
【０００７】
しかしながら、特許文献１の会議システムでは、各参加者のレーザポインタによりポインティングされたスクリーンが、カメラにより撮影される。そして撮影された映像を解析することでレーザポインタによるポインティング位置が検出される。
【０００８】
従って、特許文献１の会議システムでは、レーザポインタによりポインティングされたポイント点を含むスクリーンに投影された映像と同じ映像を複数の表示装置に表示して、各表示装置のユーザーに映像を共有させることが困難になる。
【０００９】
本発明はこのような状況に鑑みてなされたものであり、映像を共有することができるようにするものである。
【課題を解決するための手段】
【００１０】
本発明の一側面は、複数の入力装置の遠隔操作に対応する複数の遠隔操作信号を受信する通信部と、通信部により受信された複数の遠隔操作信号のそれぞれに基づく第１の映像と、他の装置から供給される第２の映像を合成して、第３の映像を出力する合成部とを備える映像表示装置である。
【００１１】
合成部は、第１の映像を第１のレイヤに格納し、第２の映像を第２のレイヤに格納し、第１のレイヤの前記第１の映像と、第２のレイヤの第２の映像を合成することができる。
【００１２】
第２の映像は、複数の入力装置のうちのアクセス権限を保持する入力装置の遠隔操作信号により操作された映像とすることができる。
【００１３】
通信部は、複数の入力装置のうちのアクセス権限を保持する入力装置の遠隔操作信号を、他の装置に送信することができる。
【００１４】
第２の映像は、他の装置がアクセス権限を保持する入力装置から直接受信した遠隔操作信号により操作された映像とすることができる。
【００１５】
他の装置が出力する第２の映像は、アクセス権限を保持する発表者が会議に参加する複数の参加者に紹介する紹介映像であり、合成部が出力する第３の映像は、紹介映像に、発表者が操作する入力装置のポインタの映像と参加者が操作する前記入力装置のポインタの映像を合成した映像とすることができる。
【００１６】
通信部は、３次元の自由空間で操作される入力装置からの無線の遠隔操作信号を受信することができる。
【００１７】
入力装置は、映像表示装置に付属する入力装置とすることができる。
【００１８】
入力装置は、それを操作するユーザーの入力装置とすることができる。
【００１９】
本発明の一側面においては、通信部が、複数の入力装置の遠隔操作に対応する複数の遠隔操作信号を受信し、合成部が、通信部により受信された複数の遠隔操作信号のそれぞれに基づく第１の映像と、他の装置から供給される第２の映像を合成して、第３の映像を出力する。
【００２０】
本発明の他の側面は、映像信号出力装置から第1の映像が供給される映像表示装置と、ユーザーの操作に基づいて、映像表示装置に送信する遠隔制御信号を出力する、映像表示装置に付属する複数の入力装置とを備える映像表示システムである。映像表示装置は、通信部と合成部とを備える。通信部は、複数の入力装置の遠隔操作に対応する複数の遠隔制御信号を受信して識別する。合成部は、通信部により受信され、識別された複数の遠隔制御信号のそれぞれに基づく第２の映像と、映像信号出力装置から供給される第１の映像を合成して、第３の映像を出力する。
【００２１】
本発明の他の側面においては、映像表示装置の通信部は、複数の入力装置の遠隔操作に対応する複数の遠隔制御信号を受信して識別する。映像表示装置の合成部は、通信部により受信され、識別された複数の遠隔制御信号のそれぞれに基づく第２の映像と、映像信号出力装置から供給される第１の映像を合成して、第３の映像を出力する。
【００２２】
本発明のさらに他の側面は、第１の映像表示装置、第２の映像表示装置、第１の入力装置、第２の入力装置、および映像出力装置を備える映像表示システムである。第１の映像表示装置は、第１の映像を表示する。第２の映像表示装置は、第１の映像表示装置と接続され、第２の映像を表示する。第１の入力装置は、第１の映像表示装置に第１の遠隔制御信号を無線で送信する。第２の入力装置は、第２の映像表示装置に第２の遠隔制御信号を無線で送信する。映像出力装置は、第１の映像表示装置に接続され、第１の映像表示装置に第３の映像を出力する。さらに、第１の映像表示装置は第２の映像表示装置から、第２の遠隔制御信号を受信するとともに、第２の映像表示装置は第１の映像表示装置から、第１の遠隔制御信号を受信する。第１の映像表示装置は、第１の作業レイヤに格納された、第１の遠隔制御信号および第２の遠隔制御信号に基づく第４の映像と、第１の映像レイヤに格納された、映像出力装置から供給された第３の映像とを合成して前記第１の映像とする。第２の映像表示装置は、第２の作業レイヤに格納された、第２の遠隔制御信号および第１の遠隔制御信号に基づく第５の映像と、第２の映像レイヤに格納された、第１の映像表示装置から供給された第３の映像とを合成して第２の映像とする
【００２３】
第１の映像表示装置、第１の入力装置、および映像出力装置は第１の部屋に配置し、第２の映像表示装置および第２の入力装置は第２の部屋に配置することができる。
【００２４】
本発明のさらに他の側面においては、第１の映像表示装置は第２の映像表示装置から、第２の遠隔制御信号を受信する。第２の映像表示装置は第１の映像表示装置から、第１の遠隔制御信号を受信する。第１の映像表示装置は、第１の作業レイヤに格納された、第１の遠隔制御信号および第２の遠隔制御信号に基づく第４の映像と、第１の映像レイヤに格納された、映像出力装置から供給された第３の映像とを合成して第１の映像とする。第２の映像表示装置は、第２の作業レイヤに格納された、第２の遠隔制御信号および第１の遠隔制御信号に基づく第５の映像と、第２の映像レイヤに格納された、第１の映像表示装置から供給された第３の映像とを合成して第２の映像とする。
【００２５】
本発明の他の側面は、第１の映像表示装置、第１の入力装置、第２の映像表示装置、第２の入力装置、および映像合成装置を備える映像表示システムである。第１の映像表示装置は第１の映像を表示する。第１の入力装置は、第１の映像表示装置に第１の遠隔制御信号を無線で送信する。第２の映像表示装置は、第２の映像を表示する。第２の入力装置は、第２の映像表示装置に第２の遠隔制御信号を無線で送信する。映像合成装置は、第１の映像表示装置および第２の映像表示装置と接続される。映像合成装置は、第１のレイヤに格納された、第１の遠隔制御信号および第２の遠隔制御信号に基づく第３の映像と、第１の映像表示装置から出力され、第２のレイヤに格納された第４の映像とを合成する。そして、映像合成装置は、それを第１の映像として第１の映像表示装置に出力するとともに、第２の映像として第２の映像表示装置に出力する
【００２６】
本発明の他の側面においては、映像合成装置は、第１のレイヤに格納された、第１の遠隔制御信号および第２の遠隔制御信号に基づく第３の映像と、第１の映像表示装置から出力され、第２のレイヤに格納された第４の映像とを合成する。そして、映像合成装置は、はそれを、第１の映像として第１の映像表示装置に出力するとともに、第２の映像として第２の映像表示装置に出力する
【発明の効果】
【００２７】
以上のように、本発明の一側面によれば、映像を共有することが可能になる。
【図面の簡単な説明】
【００２８】
【図１】従来の会議システムの構成を示す図である。
【図２】本発明の映像表示システムの一実施の形態の構成を表わす図である。
【図３】本発明の映像表示システムの一実施の形態の構成を表わす図である。
【図４】映像表示システムの動作を説明するフローチャートである。
【図５】映像表示システムの動作を説明するフローチャートである。
【図６】本発明の映像表示システムの一実施の形態の構成を表わす図である。
【図７】映像表示システムの動作を説明するフローチャートである。
【図８】映像表示システムの動作を説明するフローチャートである。
【図９】本発明の映像表示システムの一実施の形態の構成を表わす図である。
【図１０】映像表示システムの動作を説明するフローチャートである。
【図１１】映像の合成を説明する図である。
【図１２】本発明の映像表示システムの一実施の形態の構成を表わす図である。
【図１３】映像表示システムの動作を説明するフローチャートである。
【発明を実施するための形態】
【００２９】
以下、発明を実施するための形態（以下、実施の形態と称する）について説明する。なお、説明は以下の順序で行う。
１．第１の実施の形態（映像表示システムの構成）
２．第１の実施の形態（映像表示システムの動作）
３．第２の実施の形態（映像表示システムの動作）
４．第３の実施の形態（映像表示システムの構成）
５．第３の実施の形態（映像表示システムの動作）
６．第４の実施の形態（映像表示システムの動作）
７．第５の実施の形態（映像表示システムの構成）
８．第５の実施の形態（映像表示システムの動作）
９．第６の実施の形態（映像表示システムの構成）
１０．第６の実施の形態（映像表示システムの動作）
【００３０】
＜１．第１の実施の形態＞
［映像表示システムの構成］
【００３１】
図２は本発明の映像表示システムの一実施の形態の基本的構成を表す図である。この実施の形態においては、会議システムとしての映像表示システム５１は、会議室に配置されている映像表示装置６２と映像信号出力装置６３により構成されている。映像表示装置６２と映像信号出力装置６３は、ＨＤＭＩ（Ｈｉｇｈ−Ｄｅｆｉｎｉｔｉｏｎ  Ｍｕｌｔｉｍｅｄｉａ  Ｉｎｔｅｆａｃｅ）などのケーブル６４により接続されており、相互に情報を授受することができる。
【００３２】
映像表示装置６２に付属する入力装置としてのポインティングデバイス６１は３次元自由空間において任意の方向に会議の参加者（ユーザー）により操作され、操作に基づく遠隔制御信号を赤外線などの無線により映像表示装置６２に出力する。この実施の形態の場合、ポインティングデバイス６１として、ポインティングデバイス６１−１乃至６１−５の５個が用意されている。赤外線は、指向性があるため、映像表示装置６２が複数個存在するような場合に、そのうちのユーザーが意図するものに選択的に指示を与えるのに有効である。
【００３３】
５個のポインティングデバイス６１のうち、発表者のポインティングデバイス６１（例えばポインティングデバイス６１−１）の遠隔制御信号が映像表示装置６２に出力され、さらに、映像信号出力装置６３にケーブル６４を介して供給される。逆に、パーソナルコンピュータなどにより構成される映像信号出力装置６３は、ケーブル６４を介して供給された遠隔制御信号に基づき所定の処理を行った映像を、ケーブル６４を介して映像表示装置６２に供給する。
【００３４】
映像表示装置６２は作業レイヤ７１と映像レイヤ７２を内蔵するメモリ上に保持している。作業レイヤ７１には、各ポインティングデバイス６１−１乃至６１−５のポインタの映像が格納される。図２においては、便宜上、ポインティングデバイス６１−１とポインティングデバイス６１−２のポインタ８１−１とポインタ８１−２のみが示されている。映像レイヤ７２には、映像信号出力装置６３からケーブル６４を介して供給された映像が格納される。映像表示装置６２は、作業レイヤ７１と映像レイヤ７２に格納された映像を合成して表示部６５に投影する。
【００３５】
表示部６５が、光学的に投影された映像を表示するスクリーンである場合、映像表示装置６２はプロジェクタにより構成される。表示部６５が、ＬＣＤ（Ｌｉｑｕｉｄ  Ｃｒｙｓｔａｌ  Ｄｉｓｐｌａｙ）、ＣＲＴ（Ｃａｔｈｏｄｅ  Ｒａｙ  Ｔｕｂｅ）、プラズマディスプレイなどである場合、映像表示装置６２は、例えばパーソナルコンピュータにより構成することができる。なお、映像表示装置６２を映像信号出力装置６３と一体化することも可能である。
【００３６】
図３は、映像表示システム５１のより詳細な構成を表すブロック図である。映像表示装置６２は、機能的に通信部９１と合成部９２を有している。通信部９１はポインティングデバイス６１との通信を行い、ポインティングデバイス６１のうち、アクセス権限のあるポインティングデバイス（例えばポインティングデバイス６１−１）からの遠隔制御信号を映像信号出力装置６３に供給する。また、通信部９１はアクセス権限の有無に拘らず、全てのポインティングデバイス６１−１乃至６１−５からの遠隔制御信号を合成部９２に供給する。
【００３７】
合成部９２は、内蔵するメモリ９３に、作業レイヤ７１と映像レイヤ７２を有している。作業レイヤ７１には各ポインティングデバイス６１−１乃至６１−５に対応するポインタ８１−１乃至８１−５の映像１１１が格納される。説明の便宜上、図３には、ポインティングデバイス６１−１，６１−２に対応するポインタ８１−１，８１−２だけが格納されている状態が示されている。映像レイヤ７２は、映像信号出力装置６３から供給された映像１１２を格納する。合成部９２は作業レイヤ７１に格納された第１の映像としての映像１１１と映像レイヤ７２に格納された、第２の映像としての映像１１２を合成し、第３の映像としての映像１１３を表示部６５に出力し、表示させる。
【００３８】
映像信号出力装置６３は操作処理部１０１を有している。操作処理部１０１は、映像表示装置６２の通信部９１から、アクセス権限のあるポインティングデバイス６１−１の遠隔制御信号を取得する。この遠隔制御信号には、例えば決定キー、送るキー、戻るキーなどの操作に対応する信号が含まれる。操作処理部１０１は、取得した遠隔制御信号に対応する処理を行い、その処理の結果に基づく映像を、映像１１２として映像表示装置６２の合成部９２に出力する。
【００３９】
［映像表示システムの動作］
【００４０】
図４は、映像表示システムの動作を説明するフローチャートである。以下、図４を参照して、図３の映像表示システムの動作を説明する。なお、説明の便宜上、以下の説明においては、ポインティングデバイス６１は２個あるものとし、そのうちのポインティングデバイス６１−１がアクセス権限を有し、ポインティングデバイス６１−２はアクセス権限を有していないものとする。
【００４１】
ステップＳ１においてポインティングデバイス６１−１は、アクセス権限保持コードを送信する。アクセス権限とは、映像信号出力装置６３が出力する映像にアクセスするための権限であり、この権限を有するポインティングデバイスのユーザーだけが、映像信号出力装置６３が出力する映像にアクセスし、例えば、所定のアイコンを操作するなどして、それを所定の映像に変更することができる。すなわち、映像レイヤ７２に格納される映像に対するアクセスを許容する権限がアクセス権限である。
【００４２】
このアクセス権限保持コードの送信処理は、ユーザーがポインティングデバイス６１−１の予め定められている所定のボタンを操作するか、所定のジェスチャを操作することで実行される。なお、ポインティングデバイス６１−２もポインティングデバイス６１−１と同じ構成なので、同じ操作をすることで、アクセス権限保持コードを送信し、アクセス権限を保持することが可能である。より最新のアクセス権限保持コードが有効とされ、それまでのアクセス権限保持者の地位は解除される。すなわち、任意のポインティングデバイス６１の保持者が必要に応じてアクセス権限保持者となり得る。
【００４３】
ステップＳ２１において映像表示装置６２の通信部９１は、ポインティングデバイス６１−１からのアクセス権限保持コードを受信すると、アクセス権限保持コードを識別する。このアクセス権限保持コードには各ポインティングデバイス６１の識別番号も付随しており、通信部９１は、以後、アクセス権限保持コードに付随していた識別番号の遠隔制御信号を、アクセス権限保持者のポインティングデバイス６１からの信号として処理する。
【００４４】
ステップＳ２においてポインティングデバイス６１−１は、遠隔制御信号を送信する。この遠隔制御信号には、ポインタの位置を表わす信号や、決定操作などの各種の信号が含まれている。すなわちユーザーがポインティングデバイス６１−１を３次元空間において任意の方向に操作した場合、その操作に対応する位置にポインタを移動表示させるために、遠隔制御信号が送信される。あるいは、ポインティングデバイス６１−１の所定のボタンが押圧されるなど、所定の決定操作がなされると、それに対応する遠隔制御信号が送信される。このことは、以下の遠隔制御信号送信ステップにおいても同様である。
【００４５】
ステップＳ２２において通信部９１はこの遠隔制御信号を受信する。ステップＳ２３において通信部９１は、遠隔制御信号を合成部９２に転送する。転送は、信号の内部の情報が伝達されれば、信号をそのままスルーさせても、他の信号に置換してもよい。
【００４６】
ステップＳ３１において合成部９２は、ポインタを作業レイヤに格納する。具体的には、ポインティングデバイス６１−１に対応するポインタ８１−１の位置を、操作に基づく位置に変更する。なお、作業レイヤ７１には、手書き入力された情報なども格納される。
【００４７】
ステップＳ２４において通信部９１は、アクセス権限を有するポインティングデバイスの遠隔制御信号を映像信号出力装置６３に送信する。いまの場合、アクセス権限を有するのはポインティングデバイス６１−１であるので、ステップＳ２２で受信された、ポインティングデバイス６１−１の遠隔制御信号が映像信号出力装置６３に送信される。
【００４８】
ステップＳ４１において映像信号出力装置６３の操作処理部１０１は、通信部９１から受信した、すなわちアクセス権限を有するポインティングデバイスから受信した遠隔制御信号に対応する処理を実行する。例えば複数のサムネイル映像から１つのサムネイル映像が選択された場合、その選択されたサムネイル映像に対応する映像が再生される。ステップＳ４２において操作処理部１０１は、映像を送信する。すなわち、選択されたサムネイル映像に対応する映像が送信される。図３には、アクセス権限を有するポインティングデバイス６１−１のユーザーが他のユーザー（会議の参加者）に紹介する紹介映像としてのこの映像が映像１１２として示されている。このように、アクセス権限を有するポインティングデバイス６１−１は、アイコンなどの電子情報を操作することが可能である。
【００４９】
ステップＳ３２において映像表示装置６２の合成部９２は、映像信号出力装置６３から送信されてきた映像を受信し、その映像を映像レイヤに格納する。具体的には、受信された映像１１２が、メモリ９３の映像レイヤ７２に格納される。
【００５０】
ステップＳ１１においてポインティングデバイス６１−２のユーザーが、ポインティングデバイス６１−２を操作した場合、ポインティングデバイス６１−２は、その操作に対応する遠隔制御信号を送信する。
【００５１】
ステップＳ２５において映像表示装置６２の通信部９１は、ポインティングデバイス６１−２からの遠隔制御信号を受信する。ステップＳ２６において通信部９１は、受信した遠隔制御信号を転送する。この転送先は、映像信号出力装置６３ではなく、合成部９２である。通信部９１が映像信号出力装置６３に転送するのは、アクセス権限を有するポインティングデバイスの遠隔制御信号だけである。アクセス権限を有しないポインティングデバイスの遠隔制御信号は、合成部９２に転送される。これにより、アクセス権限を有しないユーザーによる無用な操作妨害が防止される。
【００５２】
ステップＳ３３において合成部９２は、ポインタを作業レイヤに格納する。具体的には、ポインティングデバイス６１−２に対応するポインタ８１−２の位置を、操作に基づく位置に変更する。これにより、図３に映像１１１として示されるような、ポインタ８１−１とポインタ８１−２を含む映像が作業レイヤ７１に格納される。なお、アクセス権限を有していないポインティングデバイスのポインタは、対応するポインティングデバイスが予め設定されている一定時間以上操作されない場合、消去される。しかし、アクセス権限を有しているポインティングデバイスのポインタは、対応するポインティングデバイスが予め設定されている一定時間以上操作されなくても、消去されない。これにより、必要以上の数のポインタが表示され、本来の映像１１２が見難くなるようなことが抑制される。
【００５３】
ステップＳ３４において合成部９２は、映像レイヤと作業レイヤを合成し、表示部６５に出力する。これにより、表示部６５には、図３に映像１１３として示されるように、映像１１２と映像１１１を合成した映像が表示される。
【００５４】
なお、合成部９２は、作業レイヤ７１と映像レイヤ７２を１対１に対応付けて保持する。従って、映像レイヤ７２が新規の頁の映像に切り替えられると、作業レイヤ７１も切り替えられる。従って、映像の各頁に対応して書き込まれた手書き情報などの情報は、頁を切り替えても消去されずに、保持される。切り替え前の頁の映像が再表示されると、その頁に対応して作業レイヤ７１に書き込まれていた情報も再表示される。この作業レイヤ７１の情報は、映像信号出力装置６３に転送し、本来の映像１１２に合成した状態で、保存するようにしてもよい。
【００５５】
このように、この実施の形態によれば、２つのレイヤの映像が合成され、合成された映像が出力される。従って、ポインタを含む同じ合成映像を複数の表示装置に出力し、表示させることが可能となり、ユーザーに同じ映像を共有させることが可能となる。
【００５６】
また、この実施の形態によれば、スクリーンに対してではなく、映像表示装置６２に対してポインティングデバイス６１が指向される。スクリーンは、壁際等のユーザーから遠い位置に配置されるが、映像表示装置６２はスクリーンに較べてユーザーに近い位置に配置することが可能である。従って、ポインティング操作時に手振れなどによりポインティングデバイス６１が揺れたとしても、スクリーンを直接指示する場合に較べて、正確かつ迅速に所定の位置を指示することが可能になる。すなわち、複数のユーザーが共通に視認する映像の所定の位置を、正確かつ迅速にポインティングすることができ、操作性が向上する。
【００５７】
また、そのうちの１つのポインティングデバイス６１にアクセス権限を与えるようにすることで、発表者は、会議の他の参加者に妨害されることなく、発表する映像を確実に遠隔制御することができる。さらに、アクセス権限は、所定のボタンを操作したり、所定のジェスチャを入力するだけで簡単に移譲が可能である。従って、ポインティングデバイス６１を交換することなく、各ユーザーが簡単に発表者の立場に立つことが可能になる。その結果、秩序ある会議を効率的に行うことが可能になる。
【００５８】
＜第２の実施の形態＞
［映像表示システムの動作］
【００５９】
次に、各ユーザーがポインティングデバイス６１をそれぞれ所有する場合の実施の形態について説明する。その構成は、図３に示した場合と同様であるので、図示は省略する。以下、図５を参照して、この映像表示システムの動作を説明する。
【００６０】
図５のステップＳ１０１乃至Ｓ１５２の処理は、基本的に図４のステップＳ１乃至Ｓ４２の処理と同様である。異なっている点は、次の通りである。すなわち、図４のステップＳ１とステップＳ２に対応するステップＳ１０１とステップＳ１０３の間に、ステップＳ１０２の処理が挿入されている点、並びに図４のステップＳ１１に対応するステップＳ１１２の前に、ステップＳ１１１が挿入されている点が異なっている。また、図４のステップＳ２１とステップＳ２２に対応するステップＳ１２１とステップＳ１２４の間に、ステップＳ１２２，Ｓ１２３が挿入されている点が異なっている。
【００６１】
この実施の形態においては、ステップＳ１０１においてポインティングデバイス６１−１は、アクセス権限保持コードを送信する。上述したように、このアクセス権限保持コードの送信処理は、ユーザーがポインティングデバイス６１の予め定められている所定のボタンを操作するか、所定のジェスチャを操作することで実行される。
【００６２】
ステップＳ１２１において映像表示装置６２の通信部９１は、ポインティングデバイス６１−１からのアクセス権限保持コードを受信すると、アクセス権限保持コードを識別する。
【００６３】
ステップＳ１０２においてポインティングデバイス６１−１は、キーコードを送信する。キーコードは、ポインタの色や形状をカスタマイズするための情報、手振れ補正、感度、その他のユーザーに特有の個人設定を行うための情報である。なお、この実施の形態においては、キーコードは、ポインティングデバイス６１の予め設定された所定のボタンまたはジェスチャが操作された場合に送信されるが、ポインティングデバイス６１の操作に対応して出力される遠隔制御信号に含めるようにすることもできる。
【００６４】
ステップＳ１２２において映像表示装置６２の通信部９１は、ポインティングデバイス６１−１から送信されてきたキーコードを受信し、それに対応する個人設定を内蔵するメモリに記憶する。
【００６５】
ステップＳ１１１においてポインティングデバイス６１−２は、キーコードを送信する。
【００６６】
ステップＳ１２３において映像表示装置６２の通信部９１は、ポインティングデバイス６１−２から送信されてきたキーコードを受信し、それに対応する個人設定を内蔵するメモリに記憶する。
【００６７】
通信部９１は、このように個人設定を記憶すると、以後、そのポインティングデバイス６１からの遠隔制御信号に対して、その個人設定を適用する。その結果、各ポインティングデバイス６１毎にその感度に基づき手振れが補正される。また、そのポインティングデバイス６１に対応する色や形状でポインタが表示される。
【００６８】
それ以降のステップＳ１０３，Ｓ１１２，Ｓ１２４乃至Ｓ１２８，Ｓ１４１乃至Ｓ１４４，Ｓ１５１，Ｓ１５２の各処理は、図４のステップＳ２，Ｓ１１，Ｓ２２乃至Ｓ２６，Ｓ３１乃至Ｓ３４，Ｓ４１，Ｓ４２の処理と同様であり、繰り返しになるのでその説明は省略する。
【００６９】
このように、この実施の形態においては、各ユーザーは、自分のポインティングデバイス６１に適した操作を行うことが可能となる。
【００７０】
＜第３の実施の形態＞
［映像表示システムの構成］
【００７１】
図６は、映像表示システムの第３の実施の形態の構成を表す図である。図６の映像表示システム５１は、基本的に図３の映像表示システムと同様の構成であるが、アクセス権限を有するポインティングデバイス６１−１の遠隔制御信号が、映像表示装置６２だけでなく、映像信号出力装置６３にも送信される点が異なっている。また、通信部９１は、ポインティングデバイスからの遠隔制御信号を操作処理部１０１に送信しない。
【００７２】
［映像表示システムの動作］
【００７３】
図７は、映像表示システムの動作を説明するフローチャートである。以下、図７を参照して、図６の映像表示システムの動作を説明する。
【００７４】
ステップＳ２０１においてポインティングデバイス６１−１は、アクセス権限保持コードを送信する。
【００７５】
ステップＳ２２１において映像表示装置６２の通信部９１は、ポインティングデバイス６１−１からのアクセス権限保持コードを受信すると、アクセス権限保持コードを識別する。これによりアクセス権限を有するポインティングデバイスが識別可能となる。
【００７６】
ステップＳ２０２においてポインティングデバイス６１−１は、アクセス権限保持コードを映像信号出力装置６３に送信する。このアクセス権限保持コードは、ステップＳ２０１で映像表示装置６２に送信されたコードと同じものである。
【００７７】
ステップＳ２４１において映像信号出力装置６３の操作処理部１０１は、ポインティングデバイス６１−１からのアクセス権限保持コードを受信すると、アクセス権限保持コードを識別する。これによりアクセス権限を有するポインティングデバイスが識別可能となる。
【００７８】
ステップＳ２０３においてポインティングデバイス６１−１は、遠隔制御信号を送信する。
【００７９】
ステップＳ２４２において映像信号出力装置６３の操作処理部１０１は、アクセス権限を有するポインティングデバイス６１−１から受信した遠隔制御信号に対応する処理を実行する。アクセス権限を有するか否かは、ステップＳ２４１で識別された、アクセス権限保持コードに対応する識別番号に基づいて判定される。ステップＳ２４３において操作処理部１０１は、ポインタを含む映像を送信する。例えば、ステップＳ２４２の処理で選択された映像が送信される。図６にはこの映像が映像１２２として示されている。同図に示されるように、この映像１２２には、アクセス権限を有するポインティングデバイス６１−１のポインタ８１−１が含まれている。
【００８０】
ステップＳ２３１において映像表示装置６２の合成部９２は、映像信号出力装置６３から送信されてきたポインタを含む映像を受信し、その映像を映像レイヤに格納する。すなわち、受信されたポインタを含む映像１２２が、メモリ９３の映像レイヤ７２に格納される。
【００８１】
ステップＳ２０４においてポインティングデバイス６１−１は、ポインティングデバイス６１−１の操作に基づく遠隔制御信号を映像表示装置６２に送信する。
【００８２】
ステップＳ２２２において映像表示装置６２の通信部９１は、ポインティングデバイス６１−１からの遠隔制御信号を受信する。
【００８３】
なお、図示は省略されているが、通信部９１は、アクセス権限を有するポインティングデバイス６１−１からの遠隔制御信号を合成部９２に転送することができる。このとき合成部９２は、アクセス権限を有するポインティングデバイス６１−１による作業レイヤ７１に対するアクセスを許容する。その結果、アクセス権限を有するポインティングデバイス６１−１のユーザーは、例えばアクセス権限を有しないポインティングデバイス６１−２のユーザーにより、作業レイヤ７１に描画されたオブジェクトを削除するなどの操作が可能となる。
【００８４】
ステップＳ２１１においてポインティングデバイス６１−２のユーザーが、ポインティングデバイス６１−２を操作した場合、ポインティングデバイス６１−２は、その操作に対応する遠隔制御信号を送信する。
【００８５】
ステップＳ２２３において映像表示装置６２の通信部９１は、ポインティングデバイス６１−２からの遠隔制御信号を受信する。ステップＳ２２４において通信部９１は、受信した遠隔制御信号を合成部９２に転送する。
【００８６】
ステップＳ２３２において合成部９２は、ポインタを作業レイヤに格納する。具体的には、ポインティングデバイス６１−２に対応するポインタ８１−２の位置を、操作に基づく位置に変更する。これにより、図６に映像１２１として示されるような、ポインタ８１−２を含む映像が作業レイヤ７１に格納される。
【００８７】
ステップＳ２３３において合成部９２は、映像レイヤと作業レイヤを合成し、表示部６５に出力する。これにより、表示部６５には、図６に映像１２３として示されるように、映像１２２と、映像１２１を合成した映像が表示される。上述したように、映像１２２は、処理対象の映像とアクセス権限を有するポインティングデバイス６１−１のポインタ８１−１を含む映像である。また、映像１２１は、アクセス権限を有しないポインティングデバイス６１−２のポインタ８１−２を含む映像である。
【００８８】
この実施の形態においても、図３の実施の形態と同様の効果を実現することが可能になる。
【００８９】
＜第４の実施の形態＞
［映像表示システムの動作］
【００９０】
次に、図６の映像表示システム５１において、各ユーザーがポインティングデバイス６１をそれぞれ所有する場合の実施の形態の動作について、図８のフローチャートを参照して説明する。
【００９１】
図８のステップＳ３０１乃至Ｓ３７４の処理は、基本的に図７のステップＳ２０１乃至Ｓ２４３の処理と同様である。異なっている点は、次の通りである。すなわち、図７のステップＳ２０２とステップＳ２０３に対応するステップＳ３０２とステップＳ３０５の間に、ステップＳ３０３，Ｓ３０４の処理が挿入されている点、並びに図７のステップＳ２１１に対応するステップＳ３２２の前に、ステップＳ３２１が挿入されている点である。また、図７のステップＳ２２１とステップＳ２２２に対応するステップＳ３４１とステップＳ３４４の間に、ステップＳ３４２，Ｓ３４３が挿入されている点である。さらに図７のステップＳ２４１とステップＳ２４２に対応するステップＳ３７１とステップＳ３７３の間に、ステップＳ３７２が挿入されている点である。
【００９２】
この実施の形態においては、ステップＳ３０１においてポインティングデバイス６１−１は、アクセス権限保持コードを送信する。
【００９３】
ステップＳ３４１において映像表示装置６２の通信部９１は、ポインティングデバイス６１−１からのアクセス権限保持コードを受信すると、アクセス権限保持コードを識別する。
【００９４】
ステップＳ３０２においてポインティングデバイス６１−１は、アクセス権限保持コードを映像信号出力装置６３に送信する。このアクセス権限保持コードは、ステップＳ３０１で映像表示装置６２に送信されたコードと同じものである。
【００９５】
ステップＳ３７１において映像信号出力装置６３の操作処理部１０１は、ポインティングデバイス６１−１からのアクセス権限保持コードを受信すると、アクセス権限保持コードを識別する。
【００９６】
ステップＳ３０３においてポインティングデバイス６１−１は、キーコードを送信する。
【００９７】
ステップＳ３４２において映像表示装置６２の通信部９１は、ポインティングデバイス６１−１から送信されてきたキーコードを受信し、それに対応する個人設定を内蔵するメモリに記憶する。
【００９８】
ステップＳ３０４においてポインティングデバイス６１−１は、キーコードを映像信号出力装置６３に送信する。
【００９９】
ステップＳ３７２において映像信号出力装置６３の操作処理部１０１は、ポインティングデバイス６１−１から送信されてきたキーコードを受信し、それに対応する個人設定を内蔵するメモリに記憶する。
【０１００】
操作処理部１０１は、このように個人設定を記憶すると、以後、そのポインティングデバイス６１−１からの遠隔制御信号に対して、その個人設定を適用する。その結果、各ポインティングデバイス６１−１の感度に基づき手振れが補正される。また、ポインティングデバイス６１−１に対応する色や形状でポインタ８１−１が表示される。
【０１０１】
ステップＳ３２１においてポインティングデバイス６１−２は、キーコードを送信する。
【０１０２】
ステップＳ３４３において映像表示装置６２の通信部９１は、ポインティングデバイス６１−２から送信されてきたキーコードを受信し、それに対応する個人設定を内蔵するメモリに記憶する。
【０１０３】
通信部９１は、このように個人設定を記憶すると、以後、そのポインティングデバイス６１−２からの遠隔制御信号に対して、その個人設定を適用する。その結果、各ポインティングデバイス６１−２の感度に基づき手振れが補正される。また、ポインティングデバイス６１−２に対応する色や形状でポインタ８１−２が表示される。
【０１０４】
ステップＳ３０５，Ｓ３０６、ステップＳ３２２、ステップＳ３４４乃至Ｓ３４６、ステップＳ３６１乃至Ｓ３６３、およびステップＳ３７３，Ｓ３７４においては、図７の対応するステップと同様の処理が行われる。すなわち、図７のステップＳ２０３，Ｓ２０４、ステップＳ２１１、ステップＳ２２２乃至Ｓ２２４、ステップＳ２３１乃至Ｓ２３３、並びにステップＳ２４２，Ｓ２４３と同様の処理が行われる。従ってこれらの処理の説明は、繰り返しになるので省略する。
【０１０５】
このように、この実施の形態においては、図３の実施の形態と同様の効果を実現することができるほか、各ユーザーは、自分のポインティングデバイス６１に適した操作を行うことが可能となる。
【０１０６】
＜第５の実施の形態＞
［映像表示システムの構成］
【０１０７】
図９は、映像表示システムの他の実施の形態の構成を表している。この映像表示システムは、会議システム２０１として構成されている。
【０１０８】
会議システム２０１は、会議室２１１−１乃至２１１−３の装置により構成されている。会議室２１１−１には、映像表示装置２１２−１とパーソナルコンピュータ２１３−１が配置されている。会議室２１１−２には、映像表示装置２１２−２とパーソナルコンピュータ２１３−２が配置されている。会議室２１１−３には、映像表示装置２１２−３とパーソナルコンピュータ２１３−３が配置されている。すなわちこの実施の形態では、映像が共通の表示部に表示されない。その代わりに、各会議室２１１−１乃至２１１−３のパーソナルコンピュータ２１３−１乃至２１３−３に、共通の映像が表示される。
【０１０９】
映像表示装置２１２−１乃至２１２−３は、それぞれ映像レイヤを有する他、作業レイヤ２１４−１乃至２１４−３を有している。映像表示装置２１２−１乃至２１２−３は、相互に情報を授受できるように、ＬＡＮ（Ｌｏｃａｌ  Ａｒｅａ  Ｎｅｔｗｏｒｋ）２１０により相互に接続されている。すなわち、この実施の形態の場合、作業レイヤがＬＡＮ２１０により共有される。
【０１１０】
さらにこの実施の形態の場合、会議室２１１−１には、ポインティングデバイス６１−１，６１−２が配置されている。会議室２１１−２には、ポインティングデバイス６１−３，６１−４が配置されている。会議室２１１−３には、ポインティングデバイス６１−５，６１−６が配置されている。各会議室のユーザーは、それぞれのポインティングデバイス６１−１乃至６１−６を使用して、会議を行うことができる。
【０１１１】
［映像表示システムの動作］
【０１１２】
図１０は、会議システムの動作を説明するフローチャートである。以下、この図１０を参照して、図９の会議システム２０１の動作について説明する。この実施の形態では、会議室２１１−１でポインティングデバイス６１−１を使用しているユーザーが、発表者として映像を説明するものとする。
【０１１３】
会議室２１１−１のポインティングデバイス６１−１のユーザーは、ポインティングデバイス６１−１を操作して、パーソナルコンピュータ２１３−１に所定の映像を出力させる。このとき映像信号出力装置として機能するパーソナルコンピュータ２１３−１は、ステップＳ３０１において、映像信号を送信する。
【０１１４】
会議室２１１−１の映像表示装置２１２−１は、ステップＳ３１１において、パーソナルコンピュータ２１３−１から供給された映像信号を受信する。ステップＳ３１２において、映像表示装置２１２−１はこの映像をＬＡＮ２１０を介して、会議室２１１−２の映像表示装置２１２−２に送信する。
【０１１５】
会議室２１１−２の映像表示装置２１２−２はステップＳ３５１において、ＬＡＮ２１０を介して送信されてきた映像信号を受信し、それを映像レイヤに格納する。
【０１１６】
映像表示装置２１２−１は、さらにステップＳ３１３において、パーソナルコンピュータ２１３−１から供給された映像をＬＡＮ２１０を介して、会議室２１１−３の映像表示装置２１２−３に送信する。
【０１１７】
会議室２１１−３の映像表示装置２１２−３はステップＳ３８１において、ＬＡＮ２１０を介して送信されてきた映像信号を受信し、それを映像レイヤに格納する。
【０１１８】
会議室２１１−1の映像表示装置２１２−1は、ポインティングデバイス６１−１，６１−２が操作されると、その操作に対応するポインタを、作業レイヤ２１４−１に格納する。また映像表示装置２１２−1は、ポインティングデバイス６１−１，６１−２が操作されると、ステップＳ３１４において、その操作に対応する遠隔制御信号を、ＬＡＮ２１０を介して会議室２１４−２の映像表示装置２１２−２に送信する。
【０１１９】
会議室２１１−２の映像表示装置２１２−２は、ステップＳ３５２において、ＬＡＮ２１０を介して遠隔制御信号を受信すると、それに対応するポインタ８１−１，８１−２を、作業レイヤ２１４−２に格納する。
【０１２０】
さらに会議室２１１−１の映像表示装置２１２−１は、ステップＳ３１５において、ポインティングデバイス６１−１，６１−２の操作に対応する遠隔制御信号を、ＬＡＮ２１０を介して会議室２１４−３の映像表示装置２１２−３に送信する。
【０１２１】
会議室２１１−３の映像表示装置２１２−３は、ステップＳ３８２において、ＬＡＮ２１０を介して遠隔制御信号を受信すると、それに対応するポインタ８１−１，８１−２を、作業レイヤ２１４−３に格納する。
【０１２２】
同様に、会議室２１１−２の映像表示装置２１２−２は、ポインティングデバイス６１−３，６１−４が操作されると、その操作に対応するポインタを、作業レイヤ２１４−２に格納する。また映像表示装置２１２−２は、ポインティングデバイス６１−３，６１−４が操作されると、ステップＳ３５３において、その操作に対応する遠隔制御信号を、ＬＡＮ２１０を介して会議室２１４−３の映像表示装置２１２−３に送信する。
【０１２３】
会議室２１１−３の映像表示装置２１２−３は、ステップＳ３８３において、ＬＡＮ２１０を介して遠隔制御信号を受信すると、それに対応するポインタ８１−３，８１−４（後述する図１１参照）を、作業レイヤ２１４−３に格納する。
【０１２４】
さらに会議室２１１−２の映像表示装置２１２−２は、ステップＳ３５４において、ポインティングデバイス６１−３，６１−４の操作に対応する遠隔制御信号を、ＬＡＮ２１０を介して会議室２１４−１の映像表示装置２１２−１に送信する。
【０１２５】
会議室２１１−１の映像表示装置２１２−１は、ステップＳ３１６において、ＬＡＮ２１０を介して遠隔制御信号を受信すると、それに対応するポインタ８１−３，８１−４を、作業レイヤ２１４−１に格納する。
【０１２６】
会議室２１１−３の映像表示装置２１２−３は、ポインティングデバイス６１−５，６１−６が操作されると、その操作に対応するポインタを、作業レイヤ２１４−３に格納する。また映像表示装置２１２−３は、ポインティングデバイス６１−５，６１−６が操作されると、ステップＳ３８４において、その操作に対応する遠隔制御信号を、ＬＡＮ２１０を介して会議室２１４−２の映像表示装置２１２−２に送信する。
【０１２７】
会議室２１１−２の映像表示装置２１２−２は、ステップＳ３５５において、ＬＡＮ２１０を介して遠隔制御信号を受信すると、それに対応するポインタ８１−５，８１−６（後述する図１１参照）を、作業レイヤ２１４−２に格納する。
【０１２８】
さらに会議室２１１−３の映像表示装置２１２−３は、ステップＳ３８５において、ポインティングデバイス６１−５，６１−６の操作に対応する遠隔制御信号を、ＬＡＮ２１０を介して会議室２１４−１の映像表示装置２１２−１に送信する。
【０１２９】
会議室２１１−１の映像表示装置２１２−１は、ステップＳ３１７において、ＬＡＮ２１０を介して遠隔制御信号を受信すると、それに対応するポインタ８１−５，８１−６を、作業レイヤ２１４−１に格納する。
【０１３０】
このように、作業レイヤ２１４−１には、自身のポインタ８１−１，８１−２と作業レイヤ２１４−２，２１４−３のポインタ８１−３乃至８１−６が記録される。作業レイヤ２１４−２には、自身のポインタ８１−３，８１−４と作業レイヤ２１４−１，２１４−３のポインタ８１−１，８１−２，８１−５，８１−６が記録される。作業レイヤ２１４−３には、自身のポインタ８１−５，８１−６と作業レイヤ２１４−１，２１４−２のポインタ８１−１乃至８１−４が記録される。すなわち各作業レイヤに他の作業レイヤのポインタが記録される。
【０１３１】
会議室２１１−１の映像表示装置２１２−１はステップＳ３１８において、映像レイヤと作業レイヤ２１４−１を合成して、パーソナルコンピュータ２１３−１に出力する。これによりパーソナルコンピュータ２１３−１に、ポインティングデバイス６１−１により選択した映像と、各会議室のポインティングデバイス６１−１乃至６１−６のポインタが合成された映像が表示される。
【０１３２】
また会議室２１１−２の映像表示装置２１２−２はステップＳ３５６において、映像レイヤと作業レイヤ２１４−２を合成して、パーソナルコンピュータ２１３−２に出力する。これによりパーソナルコンピュータ２１３−２に、ポインティングデバイス６１−１により選択した映像と、各会議室のポインティングデバイス６１−１乃至６１−６のポインタが合成された映像が表示される。
【０１３３】
さらに会議室２１１−３の映像表示装置２１２−３はステップＳ３８６において、映像レイヤと作業レイヤ２１４−３を合成して、パーソナルコンピュータ２１３−３に出力する。これによりパーソナルコンピュータ２１３−３に、ポインティングデバイス６１−１により選択した映像と、各会議室のポインティングデバイス６１−１乃至６１−６のポインタが合成された映像が表示される。
【０１３４】
図１１は、映像の合成を説明する図である。以上のようにして、各会議室のパーソナルコンピュータ２１３−１乃至２１３−３には、図１１に示されるような共通の映像が表示される。すなわち、映像レイヤ２２１の映像、ポインタ８１−１，８１−２を含む作業レイヤ２１４−１の映像、ポインタ８１−３，８１−４を含む作業レイヤ２１４−２の映像、ポインタ８１−５，８１−６を含む作業レイヤ２１４−３の映像が合成されて、表示される。
【０１３５】
従って、各会議室のユーザーは、共通の映像を見て、その映像の所定の部分をポインティングすることができ、他のユーザーは、そのポインティング位置を知ることができる。その結果、円滑な会議が可能となる。
【０１３６】
＜第６の実施の形態＞
［映像表示システムの構成］
【０１３７】
図１２は、映像表示システムのさらに他の実施の形態の構成を表す図である。この映像表示システム３０１は、パーソナルコンピュータ３１１−１乃至３１１−５と、サーバー３１２により構成されている。これらのパーソナルコンピュータ３１１−１乃至３１１−５とサーバー３１２は、ＬＡＮ、インターネットなどのネットワーク３１３により接続されている。この実施の形態においても、映像は共通の表示部には表示されず、パーソナルコンピュータ３１１−１乃至３１１−５の表示部に、共通の映像が表示される。
【０１３８】
パーソナルコンピュータ３１１−１は、ポインティングデバイス６１−１により操作される。パーソナルコンピュータ３１１−２は、ポインティングデバイス６１−２により操作される。パーソナルコンピュータ３１１−３は、ポインティングデバイス６１−３により操作される。パーソナルコンピュータ３１１−４は、ポインティングデバイス６１−４により操作される。パーソナルコンピュータ３１１−５は、ポインティングデバイス６１−５により操作される。
【０１３９】
サーバー３１２は、作業レイヤ３２１と映像レイヤ３２２を有している。
【０１４０】
［映像表示システムの動作］
【０１４１】
図１３は、映像表示システムの動作を説明するフローチャートである。以下、図１３を参照して、図１２の映像表示システム３０１の動作について説明する。この実施の形態の場合、発表者は、パーソナルコンピュータ３１１−１、従ってポインティングデバイス６１−１のユーザーであるとする。
【０１４２】
ステップＳ４０１においてパーソナルコンピュータ３１１−１は、アクセス権限保持コードをサーバー３１２に送信する。
【０１４３】
ステップＳ４５１においてサーバー３１２は、アクセス権限保持コードを受信すると、それを識別する。すなわち、サーバー３１２は、アクセス権限保持コードの真正を判定すると、以後、そのコードに付随していた識別番号を有するパーソナルコンピュータが発表者のパーソナルコンピュータであると判断する。
【０１４４】
ステップＳ４０２においてパーソナルコンピュータ３１１−１は、映像信号をサーバー３１２に送信する。
【０１４５】
ステップＳ４５２においてサーバー３１２は、映像信号を受信すると、それを映像レイヤ３２２に格納する。
【０１４６】
ステップＳ４０３においてパーソナルコンピュータ３１１−１は、ポインティングデバイス６１−１の操作に対応する遠隔制御信号をサーバー３１２に送信する。
【０１４７】
ステップＳ４５３においてサーバー３１２は、遠隔制御信号を受信すると、それに対応するポインタ８１−１を作業レイヤ３２１に格納する。
【０１４８】
ステップＳ４１１においてパーソナルコンピュータ３１１−２は、ポインティングデバイス６１−２の操作に対応する遠隔制御信号をサーバー３１２に送信する。
【０１４９】
ステップＳ４５４においてサーバー３１２は、遠隔制御信号を受信すると、それに対応するポインタ８１−２を作業レイヤ３２１に格納する。
【０１５０】
ステップＳ４２１においてパーソナルコンピュータ３１１−３は、ポインティングデバイス６１−３の操作に対応する遠隔制御信号をサーバー３１２に送信する。
【０１５１】
ステップＳ４５５においてサーバー３１２は、遠隔制御信号を受信すると、それに対応するポインタ８１−３を作業レイヤ３２１に格納する。
【０１５２】
ステップＳ４３１においてパーソナルコンピュータ３１１−４は、ポインティングデバイス６１−４の操作に対応する遠隔制御信号をサーバー３１２に送信する。
【０１５３】
ステップＳ４５６においてサーバー３１２は、遠隔制御信号を受信すると、それに対応するポインタ８１−４を作業レイヤ３２１に格納する。
【０１５４】
ステップＳ４４１においてパーソナルコンピュータ３１１−５は、ポインティングデバイス６１−５の操作に対応する遠隔制御信号をサーバー３１２に送信する。
【０１５５】
ステップＳ４５７においてサーバー３１２は、遠隔制御信号を受信すると、それに対応するポインタ８１−５を作業レイヤ３２１に格納する。
【０１５６】
ステップＳ４５８においてサーバー３１２は、映像レイヤ３２２と作業レイヤ３２１の映像を合成する。ステップＳ４５９においてサーバー３１２は、合成信号を送信する。すなわちステップＳ４５８において合成された映像の信号である合成信号が、パーソナルコンピュータ３１１−１乃至３１１−５に送信される。
【０１５７】
ステップＳ４０４，Ｓ４１２，Ｓ４２２，Ｓ４３２，Ｓ４４２において、各パーソナルコンピュータ３１１−１乃至３１１−５は、合成信号を受信し、その合成信号に対応する映像を出力する。これにより、パーソナルコンピュータ３１１−１乃至３１１−５には、発表者により選択された映像と、各ポインティングデバイス６１−１乃至６１−５のポインタ８１−１乃至８１−５が、合成されて表示される。
【０１５８】
従って、各パーソナルコンピュータ３１１−１乃至３１１−５のユーザーは、共通の映像を見て、その映像の所定の部分をポインティングすることができ、他のユーザーは、そのポインティング位置を知ることができる。その結果、円滑な会議が可能となる。
【０１５９】
なお、Windowsのリモートアシスタンス（マイクロソフト社の登録商標）機能をこの実施の形態に適用することができる。すなわち、アシスト元とアシスト先の作業レイヤを共有することで、アシスト元とアシスト先のユーザーは、それぞれアシスト先のパーソナルコンピュータを同時に操作することが可能になる。また、作業レイヤを共有するユーザーの数を複数にすれば、その複数のユーザーが同じパーソナルコンピュータを操作することが可能となる。例えば図１２のサーバー３１２に代えて、その機能をパーソナルコンピュータ３１１−１に実行させ、パーソナルコンピュータ３１１−１を他のパーソナルコンピュータ３１１−２乃至３１１−５により操作させることができる。
【０１６０】
なお、ネットワークとは、少なくとも２つの装置が接続され、ある装置から、他の装置に対して、情報の伝達をできるようにした仕組みをいう。ネットワークを介して通信する装置は、独立した装置どうしであっても良いし、１つの装置を構成している内部ブロックどうしであっても良い。
【０１６１】
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１６２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１６３】
また、本明細書において、システムとは、複数の装置により構成される装置全体を表すものである。
【０１６４】
なお、本発明の実施の形態は、上述した実施の形態に限定されるものではなく、本発明の要旨を逸脱しない範囲において種々の変更が可能である。
【産業上の利用可能性】
【０１６５】
本発明は、プロジェクタ、サーバー、パーソナルコンピュータ、その他の情報処理装置に適用することが可能である。
【符号の説明】
【０１６６】
５１  映像表示システム，  ６１，６１−１乃至６１−５  ポインティングデバイス，  ６２  映像表示装置，  ６３  映像信号出力装置，  ６５  表示部，  ７１  作業レイヤ，  ７２  映像レイヤ，  ８１，８１−１乃至８１−６  ポインタ，  ９１  通信部，  ９２  合成部，  ９３  メモリ，  １０１  操作処理部，  ２０１  会議システム，  ２１１−１乃至２１１−３  会議室，  ２１２−１乃至２１２−３  映像表示装置，  ２１３−１乃至２１３−３  パーソナルコンピュータ，  ２１４−１乃至２１４−３  作業レイヤ，  ３１１−１乃至３１１−３  パーソナルコンピュータ，  ３１２  サーバー
【図１】
2010245796.tif 000003
【図２】
2010245796.tif 000004
【図３】
2010245796.tif 000005
【図４】
2010245796.tif 000006
【図５】
2010245796.tif 000007
【図６】
2010245796.tif 000008
【図７】
2010245796.tif 000009
【図８】
2010245796.tif 000010
【図９】
2010245796.tif 000011
【図１０】
2010245796.tif 000012
【図１１】
2010245796.tif 000013
【図１２】
2010245796.tif 000014
【図１３】
2010245796.tif 000015